【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を検出して受付ける受付手段と、
遊技者による操作の対象となる対象物が画像として表現された摸画像表示を表示可能な摸画像表示手段と、
遊技者による操作の受付けが許容される受付状態を発生可能であり、該受付状態において遊技者による操作が受付けされると、受付後変化を実行可能な受付状態実行手段と
を備え、
前記受付状態として、第１受付状態、第２受付状態、及び第３受付状態を含む複数の受付状態が用意されており、
前記第１受付状態において遊技者による操作が検出されたときには、該検出に応じた前記受付後変化の１つとして第１態様と第１受付音とをそれぞれ発生可能であるが、当該状態で遊技者による操作が検出されないときには前記第１態様及び前記第１受付音のいずれも発生することがないようになっており、
前記第２受付状態において遊技者による操作が検出されたときには、該検出に応じた前記受付後変化の１つとして第２態様と第２受付音とをそれぞれ発生可能であるが、当該状態で遊技者による操作が検出されないときには前記第２態様及び前記第２受付音のうち前記第２態様のみが発生しうるようになっており、
前記第３受付状態において遊技者による操作が検出されたときには、該検出に応じた前記受付後変化の１つとして第３態様と第３受付音とをそれぞれ発生可能であるが、当該状態で遊技者による操作が検出されない場合であっても、該状態で遊技者による操作が検出されたときと同様、前記第３態様及び前記第３受付音がいずれも発生しうるようになっており、
さらに、
前記第３受付状態で遊技者による操作が検出されずに前記第３態様及び前記第３受付音がいずれも発生するときには、それまで表示されていた前記摸画像表示が非表示になるよりも前に、該摸画像表示を視認し難くする表示を、該摸画像表示とは別の画像表示として表示可能であるが、前記第２受付状態で遊技者による操作が検出されずに前記第２態様及び前記第２受付音のうち前記第２態様のみが発生するときには、それまで表示されていた前記摸画像表示が非表示になるよりも前に、該摸画像表示を視認し難くする表示が、該摸画像表示とは別の画像表示として表示されることがない
ことを特徴とする遊技機。
【請求項２】
判定を行う判定手段と、
前記判定手段の判定結果に基づいて特典を付与しうる特典付与手段と、
遊技者による操作を検出して受付ける受付手段と、
遊技者による操作の対象となる対象物が画像として表現された摸画像表示を表示可能な摸画像表示手段と、
遊技者による操作の受付けが許容される受付状態を発生可能であり、該受付状態において遊技者による操作が受付けされると、受付後変化を実行可能な受付状態実行手段と
を備え、
前記受付状態として、第１受付状態、第２受付状態、及び第３受付状態を含む複数の受付状態が用意されており、
前記第１受付状態において遊技者による操作が検出されたときには、該検出に応じた前記受付後変化の１つとして第１態様と第１受付音とをそれぞれ発生可能であるが、当該状態で遊技者による操作が検出されないときには前記第１態様及び前記第１受付音のいずれも発生することがないようになっており、
前記第２受付状態において遊技者による操作が検出されたときには、該検出に応じた前記受付後変化の１つとして第２態様と第２受付音とをそれぞれ発生可能であるが、当該状態で遊技者による操作が検出されないときには前記第２態様及び前記第２受付音のうち前記第２態様のみが発生しうるようになっており、
前記第３受付状態において遊技者による操作が検出されたときには、該検出に応じた前記受付後変化の１つとして第３態様と第３受付音とをそれぞれ発生可能であるが、当該状態で遊技者による操作が検出されない場合であっても、該状態で遊技者による操作が検出されたときと同様、前記第３態様及び前記第３受付音がいずれも発生しうるようになっており、
さらに、
前記第３受付状態で遊技者による操作が検出されずに前記第３態様及び前記第３受付音がいずれも発生するときには、それまで表示されていた前記摸画像表示が非表示になるよりも前に、該摸画像表示を視認し難くする表示を、該摸画像表示とは別の画像表示として表示可能であるが、前記第２受付状態で遊技者による操作が検出されずに前記第２態様及び前記第２受付音のうち前記第２態様のみが発生するときには、それまで表示されていた前記摸画像表示が非表示になるよりも前に、該摸画像表示を視認し難くする表示が、該摸画像表示とは別の画像表示として表示されることがない
ようにした遊技機において、
前記第２受付状態では、遊技者に対して複数の選択肢が提示され、遊技者による操作によってそれら選択肢のいずれを選択したかに応じて前記受付後変化として異なる変化が発生するようになっており、当該状態で遊技者による操作が検出されない場合は、前記受付後変化として、前記複数の選択肢のうち特定の選択肢が選択されたときの変化が発生する
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を検出して受付ける受付手段と、
遊技者による操作の対象となる対象物が画像として表現された摸画像表示を表示可能な摸画像表示手段と、
遊技者による操作の受付けが許容される受付状態を発生可能であり、該受付状態において遊技者による操作が受付けされると、受付後変化を実行可能な受付状態実行手段と
を備え、
前記受付状態として、第１受付状態、第２受付状態、及び第３受付状態を含む複数の受付状態が用意されており、
前記第１受付状態において遊技者による操作が検出されたときには、該検出に応じた前記受付後変化の１つとして第１態様と第１受付音とをそれぞれ発生可能であるが、当該状態で遊技者による操作が検出されないときには前記第１態様及び前記第１受付音のいずれも発生することがないようになっており、
前記第２受付状態において遊技者による操作が検出されたときには、該検出に応じた前記受付後変化の１つとして第２態様と第２受付音とをそれぞれ発生可能であるが、当該状態で遊技者による操作が検出されないときには前記第２態様及び前記第２受付音のうち前記第２態様のみが発生しうるようになっており、
前記第３受付状態において遊技者による操作が検出されたときには、該検出に応じた前記受付後変化の１つとして第３態様と第３受付音とをそれぞれ発生可能であるが、当該状態で遊技者による操作が検出されない場合であっても、該状態で遊技者による操作が検出されたときと同様、前記第３態様及び前記第３受付音がいずれも発生しうるようになっており、
さらに、
前記第３受付状態で遊技者による操作が検出されずに前記第３態様及び前記第３受付音がいずれも発生するときには、それまで表示されていた前記摸画像表示が非表示になるよりも前に、該摸画像表示を視認し難くする表示を、該摸画像表示とは別の画像表示として表示可能であるが、前記第２受付状態で遊技者による操作が検出されずに前記第２態様及び前記第２受付音のうち前記第２態様のみが発生するときには、それまで表示されていた前記摸画像表示が非表示になるよりも前に、該摸画像表示を視認し難くする表示が、該摸画像表示とは別の画像表示として表示されることがない
ことを特徴とする遊技機。